(57)【要約】【課題】狭圧体を備えたビューラーに使用するビューラーヒーターを提供する。【解決手段】狭圧体を備えたビューラーの該挟圧体を加温するビューラーヒーター１Ａが、本体部１０及び本体部１０に被さる蓋部２０を有する。本体部１０は、本体ハウジング１１、及びビューラー３０の挟圧体３１が載置される下側弾性体１２を有し、蓋部２０が、蓋ハウジング２１、及び本体部１０に蓋部２０が被さった状態で下側弾性体１２に対向する上側弾性体２２を有する。本体部１０及び蓋部２０の少なくとも一方は発熱体１３、２３を備え、本体ハウジング１１及び蓋ハウジング２１の少なくとも一方に、ビューラー３０の柄３２を通す切欠１５、２５を有する。【選択図】図４
2015146858.tif 000002
【特許請求の範囲】
【請求項１】
挟圧体を備えたビューラーの該挟圧体を加温するビューラーヒーターであって、本体部及び本体部に被さる蓋部を有し、
本体部が、本体ハウジング、及びビューラーの挟圧体が載置される下側弾性体を有し、
蓋部が、蓋ハウジング、及び本体部に蓋部が被さった状態で下側弾性体に対向する上側弾性体を有し、
本体部及び蓋部の少なくとも一方が発熱体を備え、
本体ハウジング及び蓋ハウジングの少なくとも一方に、ビューラーの狭圧体から延びた柄を通す切欠を有するビューラーヒーター。
【請求項２】
弾性体の硬度が、ショア硬度（ＪＩＳ Ａ）２０〜８０である請求項１記載のビューラーヒーター。
【請求項３】
弾性体の熱伝導率が０．１〜０．３Ｗ／（ｍ・Ｋ）である請求項１又は２記載のビューラーヒーター。
【請求項４】
下側弾性体及び上側弾性体が着脱可能である請求項１〜３のいずれかに記載のビューラーヒーター。
【請求項５】
下側弾性体と上側弾性体で囲まれる空間に紫外線を照射する紫外線ランプを有する請求項１〜４のいずれかに記載のビューラーヒーター。
【請求項６】
ビューラーヒーターの側壁に、互いに対向する開口部を有する請求項１〜５のいずれかに記載のビューラーヒーター。
【請求項７】
ビューラーの挟圧体を一対の弾性体で挟み込み、弾性体を介して又は直接的に発熱体でビューラーの挟圧体を加温するビューラーの挟圧体の加温方法。
【発明の詳細な説明】
【技術分野】
【０００１】
本発明は、ビューラーヒーターに関する。
【背景技術】
【０００２】
睫毛のカールアップを行うために、睫毛を挟む上下の挟圧体を備え、狭圧体を把持部の握りで操作するビューラーが広く用いられている。
【０００３】
また、ビューラーのカールアップ効果を向上させるため、ビューラーに発熱体を組み込むことが提案されている（特許文献１、特許文献２）。
しかしながら、発熱体を組み込んだビューラーでは、ビューラーの形状が制約を受ける。さらに、乾電池又は蓄電池を備えなければならないために、発熱体のないビューラーに比して重たくなり、コンパクト性にも劣る。
【０００４】
一方、狭圧体を備えたビューラーを載置し、その狭圧体を加温するビューラーヒーターであって、挟圧体で挟持される凸部をビューラー載置面から突出させ、その凸部に、抵抗加熱素子に繋がった熱伝導部を設けたものが提案されている（特許文献３）。
しかしながら、このビューラーヒーターによれば、ビューラー載置面から突出している凸部をビューラーの上下の挟圧体で挟み、その凸部の熱伝導部にビューラーの下側挟圧体が当接するように、ビューラーをビューラー載置面にセットすることが必要とされ、そのようにビューラーをセットすることが煩雑である。さらに、ビューラーの形状によっては、熱伝導部にビューラーの下側挟圧体が当接するように、ビューラーをビューラー載置面にセットすることができない。
【先行技術文献】
【特許文献】
【０００５】
【特許文献１】実開平７−３５０１号公報
【特許文献２】特開２００１−１２０３３３号公報
【特許文献３】特表２００１−５０９０３５
【発明の概要】
【発明が解決しようとする課題】
【０００６】
上述の従来技術に対し、本発明の課題は、汎用されている、狭圧体を備えたビューラーを加温するために、手軽に使用することができるビューラーヒーターの提供に関する。
【課題を解決するための手段】
【０００７】
本発明者は、ビューラーの挟圧体を弾性体で挟むようにして固定し、加温するようにビューラーヒーターを構成すると、ビューラーの形状や大きさのばらつきを問わず、上下の挟圧体を備えたビューラーに広く適用できることを見出し、かかる弾性体を備えた本発明のビューラーヒーターを想到した。
【０００８】
即ち、本発明は、狭圧体を備えたビューラーの該挟圧体を加温するビューラーヒーターであって、本体部及び本体部に被さる蓋部を有し、
本体部が、本体ハウジング、及びビューラーの挟圧体が載置される下側弾性体を有し、
蓋部が、蓋ハウジング、及び本体部に蓋部が被さった状態で下側弾性体に対向する上側弾性体を有し、
本体部及び蓋部の少なくとも一方が発熱体を備え、
本体ハウジング及び蓋ハウジングの少なくとも一方に、ビューラーの狭圧体から延びた柄を通す切欠を有するビューラーヒーターを提供する。
【０００９】
また、本発明は、ビューラーの挟圧体を一対の弾性体で挟み込み、弾性体を介して又は直接的に発熱体でビューラーの挟圧体を加温するビューラーの挟圧体の加温方法を提供する。
【発明の効果】
【００１０】
本発明のビューラーヒーター又は加温方法によれば、一対の弾性体でビューラーの挟圧体が挟まれるようにするだけで、簡便にビューラーの挟圧体を加温することができ、しかも、ビューラーの形状や大きさのばらつきを問わず、上下の挟圧体を備えたビューラーに広く適用することができる。
【００１１】
したがって、ビューラーヒーターを個人で所有してビューラーを加温することは勿論、不特定多数の人が利用するホテル、レストラン、駅などのレストルーム等に設置し、不特定多数の人が、それぞれが有するビューラーを加温することも可能となる。
【図面の簡単な説明】
【００１２】
【図１Ａ】図１Ａは、実施例のビューラーヒーター１Ａの、蓋部を閉じた状態の斜視図である。
【図１Ｂ】図１Ｂは、実施例のビューラーヒーター１Ａの断面図である。
【図２】図２は、実施例のビューラーヒーター１Ａの、蓋部を開いた状態の斜視図である。
【図３】図３は、実施例のビューラーヒーター１Ａにビューラーの挟圧体を載置した状態の上面図である。
【図４】図４は、実施例のビューラーヒーター１Ａにビューラーをセットした状態の断面図である。
【図５】図５は、実施例のビューラーヒーター１Ｂの断面図である。
【図６】図６は、実施例のビューラーヒーター１Ｃの、蓋部を開いた状態の斜視図である。
【図７】図７は、実施例のビューラーヒーター１Ｄの、蓋部を開いた状態の斜視図である。
【図８】図８は、実施例のビューラーヒーター１Ｄの、上側弾性体及び下側弾性体を外した状態の斜視図である。
【図９】図９は、実施例のビューラーヒーター１Ｅの、蓋部を開いた状態の斜視図である。
【図１０】図１０は、実施例のビューラーヒーター１Ｆの断面図である。
【発明を実施するための形態】
【００１３】
以下、図面を参照しつつ、本発明を具体的に説明する。なお、各図中、同一符号は、同一又は同等の構成要素を表している。
【００１４】
図１Ａは、本発明の一実施例のビューラーヒーター１Ａの、蓋部２０を閉じた状態の斜視図であり、図１Ｂは、その断面図である。また、図２は、蓋部２０を開いた状態のビューラーヒーター１Ａの斜視図である。
このビューラーヒーター１Ａは、睫毛を挟む上下の挟圧体３１を備えたビューラー３０を加温する治具であって、本体部１０、及び本体部１０に被さる蓋部２０を有している。
【００１５】
本体部１０は、本体ハウジング１１、及びビューラーの挟圧体が載置される下側弾性体１２を有し、内部に発熱体１３を備えている。一方、蓋部２０は、蓋ハウジング２１、及び上側弾性体２２を有し、内部に発熱体２３を備えている。本体部１０と蓋部２０は、ヒンジ２で接合しており、蓋部２０が本体部１０に被さった状態で、上側弾性体２２は下側弾性体１２と対向する。
本体部１０には、発熱体１３、２３の制御基板及び電源装置３が組み込まれ、電源供給のためのＡＣアダプターが連設されている。
【００１６】
より具体的には、本体部１０では、本体ハウジング１１の上面に、表面が上に凸に湾曲した蒲鉾型のベース１４が設けられ、その上に面状の発熱体１３が設けられ、この発熱体１３を覆うように下側弾性体１２が設けられている。したがって、下側弾性体１２の表面も上に凸の曲面となっている。
一方、蓋部２０では、蓋ハウジング２１のフレーム２４の湾曲面に面状の発熱体２３が設けられ、この発熱体２３を覆うように、上側弾性体２２が設けられている。上側弾性体２２の表面は、下側弾性体１２の表面に略嵌合する曲面となっている。
【００１７】
ここで、下側弾性体１２及び上側弾性体２２としては、発熱体１３、２３が発した熱が、下側弾性体１２及び上側弾性体２２で挟持する、ビューラーの挟圧体に良好に伝わるように、熱伝導率が０．１〜０．３Ｗ／（ｍ・Ｋ）であることが好ましい。また、一般に使用されているビューラーの挟圧体の大きさや形状にはばらつきがあるが、いずれのビューラーの挟圧体であっても下側弾性体１２と上側弾性体２２で挟み込み、かつ、下側弾性体１２及び上側弾性体２２と挟圧体との接触面積が増加するように、ショア硬度（ＪＩＳ Ａ）２０〜８０であることが好ましい。
【００１８】
下側弾性体１２及び上側弾性体２２として表面に粘着性やタック感を有するものを使用するか、又は下側弾性体１２及び上側弾性体２２の表面に粘着層を形成することにより、下側弾性体１２及び上側弾性体２２が狭圧体と接触する表面に、該表面がべたつく程度の弱い粘着性を賦与することが好ましい。これにより、下側弾性体１２と上側弾性体２２との間に狭圧体を保持し易くなる。
【００１９】
下側弾性体１２及び上側弾性体２２の具体的形成材料としては、例えば、シリコンゴムをあげることができる。また、その厚みは、それぞれ０．５ｍｍ〜５．０ｍｍとすることが好ましい。
【００２０】
発熱体１３、２３としては、通電開始後１分で表面温度が５０〜６０℃となる加熱特性を有するものが好ましい。このような発熱体１３、２３としては、例えば、面状ヒーターを使用し、挟圧体との接触面積を大きくすることが好ましい。
【００２１】
さらに、発熱体１３、２３には、下側弾性体１２上にビューラーの挟圧体が載置され、蓋部２０が本体部１０に被せられた場合に、スイッチがＯＮとなり、所定時間後に自動的にＯＦＦとなるように、感圧スイッチ等のスイッチとタイマーを組み込み、発熱体の自動ＯＮ−ＯＦＦ機構を形成することが好ましい。また、手動で操作するスイッチを設け、そのスイッチの操作により発熱体の加温が始まり、所定時間後にタイマーで加温が停止するようにしてもよい。いずれの場合にも、スイッチのＯＮにより点灯し、ＯＦＦにより消灯するように、ランプ２６をビューラーヒーター１Ａの正面の目立つ部位（ヒンジ２と反対側）に設けることが好ましい。これによりスイッチのＯＮ、ＯＦＦを視覚的に確認することができる。
【００２２】
一方、ビューラーヒーター１Ａは、本体ハウジング１１の側壁に、互いに対向する切欠１５を有し、蓋ハウジング２１の側壁にも互いに対向する切欠２５を有し、蓋部２０が本体部１０に被さった状態で、ビューラーヒーター１Ａの側壁に、互いに対向する開口部４が形成されるようにしている。この開口部４は、ビューラーの狭圧体から延びた柄を通すのに十分な大きさを有する。
【００２３】
ビューラーヒーター１Ａは、上下の狭圧体を備えたビューラーの該狭圧体を加温するために次のように使用される。ここで、ビューラーとしては、一対の把持部を指で開閉することにより上下の狭圧体の挟持力を調整するハサミ型のビューラー（図３）や、一対の把持部の開閉で上下の狭圧体の挟持力を調整するときに、把持部が開く方向にバネ材で付勢するものなどをあげることができる。
【００２４】
加温操作では、まず、図３に示すように、加温しようとするビューラー３０の挟圧体３１を下側弾性体１２の上に載置し、図４に示すように蓋部２０を被せることにより、ビューラー３０をビューラーヒーター１Ａにセットする。このとき、開口部４がビューラー３０の柄３２を通すので、ビューラー３０の把持部３３が、ビューラーヒーター１Ａの外に配置された状態で、ビューラー３０を安定して横置きすることができる。特に、開口部４がビューラーヒーター１Ａの側壁の対向する位置に設けられているので、右利きの者でも、左利きの者でも、容易にビューラー３０をビューラーヒーター１Ａにセットすることができる。
【００２５】
また、ビューラーヒーター１Ａは、下側弾性体１２の表面が上に凸の曲面を有し、上側弾性体２２もそれに応じた曲面を有するので、蓋部２０を本体部１０に被せることにより、任意のビューラー３０の挟圧体３１が上下の一対の弾性体１２，２２で確実に挟み込まれ、上側弾性体２２及び下側弾性体１２と広い面積で接触し、また狭圧体３１を保持するフレーム部等も上側弾性体２２及び下側弾性体１２と接触する。よって、発熱体１３、２３から発せられる熱が一対の弾性体１２、２２を介して挟圧体３１や狭圧体を保持するフレーム部等に効率良く伝わり、挟圧体３１が加温される。こうして、このビューラーヒーター１Ａによれば、ビューラー３０の挟圧体３１を簡便かつ確実に加温することができる。また、狭圧体３１の広い面積とその周囲のフレーム等が加温されていることにより、ビューラー３０をビューラーヒーター１Ａから取り出しても、睫毛のカールアップに使用されるまで十分に加温状態を保持することができる。
【００２６】
この場合、発熱体の自動ＯＮ−ＯＦＦ機構を設けると、ビューラー３０をビューラーヒーター１Ａにセットするだけで加温が始まり、挟圧体３１が５０℃〜６０℃の適温になったところで、加温が停止するので、一層安全かつ簡便に加温することができる。
【００２７】
本発明は、種々の態様をとることができる。例えば、ＡＣアダプターは、本体部１０や蓋部２０の外に設置してもよく、図５に示すように、上述と同様のビューラーヒーター１Ｂにおいて、発熱体１３、２３の電源を、ＵＳＢ端子を介してパソコン等からとってもよい。その場合に、ベース１４を上に凸に湾曲した中空の蒲鉾型とし、制御基板及び電源装置３をベース１４の下の空間に取り付けてハウジング１１を小型化し、ビューラーヒーターの携帯性を向上させてもよい。また、本体部１０に乾電池又は蓄電池を収納し、電源供給を乾電池又は蓄電池によって行うことにより、本体部１０を小型化するとともに、電源供給の場所にとらわれない利便性を向上させてもよい。
【００２８】
ベース１４を上に凸に湾曲した中空の蒲鉾型とする場合に、図６に示すビューラーヒーター１Ｃのように、蒲鉾型の湾曲した外周にスリット１４ａを設けベース１４に可撓性を賦与してもよい。この可撓性により、下側弾性体１２の狭圧体３１に対する押圧力を補完することができ、狭圧体３１の湾曲の程度によらず、下側弾性体１２を狭圧体３１により確実に接触させることができる。なお、説明の便宜上、図６では、下側発熱体１２を細線で描いている。
【００２９】
開口部４は、必ずしも本体ハウジング１１及び蓋ハウジング２１の双方に設けた切欠１５、２５により形成される必要はなく、ビューラー３０の柄３２を通すことができれば、本体ハウジング１１及び蓋ハウジング２１のいずれか一方の切欠により開口部４を形成してもよい。
【００３０】
また、ビューラーヒーターの個人所有を前提とする場合、切欠１５、２５による開口部４を、ビューラーヒーター１Ａの側壁の対向する２箇所に設けなくてもよい。
【００３１】
開口部４には、フィルム又はカーテン状の弾性を有するシャッターを設けてもよい。これにより、ビューラー３０をビューラーヒーター１Ａにセットした状態で、ビューラーヒーター１Ａ内部の保温性を向上させ、狭圧体３１を効率よく加温することができる。
【００３２】
本体部１０と蓋部２０をヒンジ２で接合することにより、ビューラーヒーター全体を手に取らなくても、片手で蓋部２０を操作するだけで簡便にビューラーヒーターを開閉することができるが、この場合、本体部１０に蓋部２０を被せることにより、本体部１０と蓋部２０が嵌合する嵌合部を設けることが好ましい。また、ヒンジ２を設けることなく、蓋部２０を本体部１０から着脱自在とし、本体部１０から取り外した蓋部２０を本体部１０に被せることにより、本体部１０と蓋部２０とが嵌合するようにしてもよい。さらに、本体部１０と蓋部２０との掛合により、本体部１０に被せた蓋２０の浮き上がりを防止するロック機構を設けてもよい。ロック機構を設けることにより、ビューラー３０の狭圧体３１が、上側弾性体２２及び下側弾性体１２の間で保持される際の安定性が向上し、加温中に不用意に蓋部２０が開いてしまうことを防止でき、また、上側弾性体２２及び下側弾性体１２と狭圧体３１との接触がより確実になり、加温効率が向上する。
【００３３】
下側弾性体１２、上側弾性体２２として、赤外線透過性樹脂で形成されたものを使用した場合に、発熱体１３、２３としてランプヒーターを使用してもよい。
【００３４】
図７に示すビューラーヒーター１Ｄは、下側弾性体１２を留具１６により本体部１０に着脱可能に取り付け、上側弾性体２２を留具２６により蓋部２０に着脱可能に取り付けたものである。これにより、図８に示すように、下側弾性体１２を本体部１０から取り外し、また、上側弾性体２２を蓋部２０から取り外すことができるので、それぞれ洗浄することや取り換えることが可能となる。
【００３５】
図９に示すビューラーヒーター１Ｅは、発熱体１３、２３として、可撓性のテープヒーターを、それぞれ下側弾性体１２、上側弾性体２２の表面に設け、発熱体１３、２３によりビューラー３０の狭圧体３１が直接的に加温されるようにしたものである。このように、発熱体１３、２３は、必ずしも、弾性体の背面に設けなくてもよい。また、発熱体の発熱量によっては、発熱体を本体部１０及び蓋部２０のいずれか一方に設けてもよい。
【００３６】
図１０に示すビューラーヒーター１Ｆは、本体部１０に蓋部２０が被さった状態で、下側弾性体１２と上側弾性体２２で囲まれた空間５ができるように、上側弾性体２２の曲面を形成し、また、蓋部２０の発熱体を省略したものである。この空間５は、ビューラーの挟圧体の加温室として作用する。また、このビューラーヒーター１Ｆの蓋部２０は、空間５に紫外線を照射する紫外線ＬＥＤ等の紫外線ランプ６を有する。
【００３７】
したがって、このビューラーヒーター１Ｆによれば、空間５内に設置されたビューラーの挟圧体を加温しつつ殺菌することが可能となる。よって、このビューラーヒーター１Ｆは、不特定多数の人によって使用される場合に、特に有用となる。
【００３８】
この他、上述した変形態様は、適宜組み合わせることができる。
【００３９】
上述した実施形態に関し、本発明はさらに以下のビューラーヒーターを開示する。
＜１＞ビューラー挟圧体を加温するビューラーヒーターであって、本体部及び本体部に被さる蓋部を有し、本体部が、本体ハウジング、及びビューラーの挟圧体が載置される下側弾性体を有し、蓋部が、蓋ハウジング、及び本体部に蓋部が被さった状態で下側弾性体に対向する上側弾性体を有し、本体部及び蓋部の少なくとも一方が発熱体を備え、本体ハウジング及び蓋ハウジングの少なくとも一方に、ビューラーの柄を通す切欠を有するビューラーヒーター。
【００４０】
＜２＞弾性体の硬度がショア硬度（ＪＩＳ Ａ）２０〜８０である、＜１＞に記載のビューラーヒーター。
＜３＞弾性体の熱伝導率が０．１〜０．３Ｗ／（ｍ・Ｋ）である、＜１＞又は＜２＞に記載のビューラーヒーター。
＜４＞下側弾性体及び上側弾性体が着脱可能である、＜１＞〜＜３＞のいずれかに記載のビューラーヒーター。
＜５＞弾性体として粘着性又はタック感を有するものを使用するか、又は弾性体の表面に粘着層を形成する、＜１＞〜＜４＞のいずれかに記載のビューラーヒーター。
＜６＞弾性体がシリコンゴムによって形成されている、＜１＞〜＜５＞のいずれかに記載のビューラーヒーター。
＜７＞弾性体の厚みが０．５ｍｍ〜５．０ｍｍである、＜１＞〜＜６＞のいずれかに記載のビューラーヒーター。
＜８＞発熱体は、通電開始後１分で表面温度が５０〜６０℃となる加熱特性を有する、＜１＞〜＜７＞のいずれかに記載のビューラーヒーター。
＜９＞発熱体が面状ヒーターからなる、＜１＞〜＜８＞のいずれかに記載のビューラーヒーター。
＜１０＞電源供給を、ＡＣアダプターを介して行う、＜１＞〜＜９＞のいずれかに記載のビューラーヒーター。
＜１１＞電源供給を、ＵＳＢ端子を介して行う、＜１＞〜＜９＞のいずれかに記載のビューラーヒーター。
＜１２＞本体部に乾電池を収納する空間が設けられ、電源供給を乾電池によって行う、＜１＞〜＜９＞のいずれかに記載のビューラーヒーター。
＜１３＞開口部には、フィルム又はカーテン状の弾性を有するシャッターを設けた、＜１＞〜＜１２＞のいずれかに記載のビューラーヒーター。
＜１４＞本体部と蓋部をヒンジで接合する、＜１＞〜＜１３＞のいずれかに記載のビューラーヒーター。
＜１５＞本体部と蓋部とが嵌合する嵌合部を有する、＜１＞〜＜１４＞のいずれかに記載のビューラーヒーター。
＜１６＞本体部には、発熱体の制御基板及び電源装置が組み込まれている、＜１＞〜＜１５＞のいずれかに記載のビューラーヒーター。
＜１７＞スイッチを設け、そのスイッチがＯＮとなることにより発熱体の加温が始まり、所定時間後にタイマーで加温が停止する、＜１＞〜＜１６＞のいずれかに記載のビューラーヒーター。
＜１８＞スイッチが手動で操作するスイッチであり、そのスイッチの操作によりスイッチがＯＮとなる、＜１７＞に記載のビューラーヒーター。
＜１９＞下側弾性体上にビューラーの挟圧体が載置され、蓋部が本体部に被せられた際に、スイッチがＯＮとなり、所定時間後に自動的にＯＦＦとなるように、感圧スイッチ等のスイッチとタイマーが組み込まれてなる、＜１７＞に記載のビューラーヒーター。
＜２０＞スイッチのＯＮにより点灯し、ＯＦＦにより消灯するように、ランプをビューラーヒーターの正面の目立つ部位に設ける、＜１７＞〜＜１９＞のいずれかに記載のビューラーヒーター。
＜２１＞ビューラーヒーターの側壁に、互いに対向する開口部を有する、＜１＞〜＜２０＞のいずれかに記載のビューラーヒーター。
＜２２＞本体ハウジングの上面に、表面が上に凸に湾曲した蒲鉾型のベースが設けられている、＜１＞〜＜２１＞のいずれかに記載のビューラーヒーター。
＜２３＞制御基板及び電源装置をベースの下の空間に取り付ける、＜２２＞に記載のビューラーヒーター。
＜２４＞ベースの蒲鉾型に湾曲した外周にスリットを設けてなる、＜２２＞又は＜２３＞に記載のビューラーヒーター。
＜２５＞蒲鉾型のベースの上に発熱体が設けられた、＜２２＞〜＜２４＞のいずれかに記載のビューラーヒーター。
＜２６＞発熱体を覆うように下側弾性体が設けられている、＜１＞〜＜２５＞のいずれかに記載のビューラーヒーター。
＜２７＞下側弾性体の表面が上に凸の曲面となっている、＜１＞〜＜２６＞のいずれかに記載のビューラーヒーター。
＜２８＞蓋ハウジングのフレームが湾曲面に成形されている、＜１＞〜＜２７＞のいずれかに記載のビューラーヒーター。
＜２９＞湾曲面に形成されたフレームの上に発熱体が設けられた、＜２８＞に記載のビューラーヒーター。
＜３０＞発熱体を覆うように、上側弾性体が設けられている、＜１＞〜＜２９＞のいずれかに記載のビューラーヒーター。
＜３１＞上側弾性体の表面は、下側弾性体の表面に略嵌合する曲面となっている、＜１＞〜＜３０＞のいずれかに記載のビューラーヒーター。
＜３２＞弾性体を、赤外線透過性樹脂によって形成する、＜１＞〜＜３１＞のいずれかに記載のビューラーヒーター。
＜３３＞赤外線透過性樹脂によって成形された弾性体の下部に、発熱体としてランプヒーターを使用する、＜３２＞に記載のビューラーヒーター。
＜３４＞発熱体として、可撓性のテープヒーターを弾性体の表面に設けてなる、＜１＞〜＜２４＞、＜２７＞、＜２８＞、＜３１＞、＜３２＞のいずれかに記載のビューラーヒーター。
＜３５＞下側弾性体と上側弾性体で囲まれる空間に紫外線を照射する紫外線ランプを有する、＜１＞〜＜３４＞のいずれかに記載のビューラーヒーター。
＜３６＞ビューラーの挟圧体を一対の弾性体で挟み込み、弾性体を介して又は直接的に発熱体でビューラーの挟圧体を加温するビューラーの挟圧体の加温方法。
＜３７＞ビューラーの挟圧体が載置される下側弾性体の上に、加温しようとするビューラーの挟圧体を載置し、下側弾性体に対向する上側弾性体によってビューラーの挟圧部を挟み込み、上側弾性体及び／又は下側弾性体の背面又は表面に設けられた発熱体によって加温を行う、ビューラーの挟圧体の加温方法。
【符号の説明】
【００４１】
１Ａ、１Ｂ、１Ｃ、１Ｄ、１Ｅ、１Ｆ    ビューラーヒーター
２    ヒンジ
３    電源装置
４    開口部
５    空間
６    紫外線ランプ
１０    本体部
１１    本体ハウジング
１２    下側弾性体
１３    発熱体
１４    ベース
１４ａ  スリット
１５    切欠
１６    留具
２０    蓋部
２１    蓋ハウジング
２２    上側弾性体
２３    発熱体
２４    フレーム
２５    切欠
２６    留具
２７    ランプ
３０    ビューラー
３１    挟圧体
３２    柄
３３    把持部
【図１Ａ】
2015146858.tif 000003
【図１Ｂ】
2015146858.tif 000004
【図２】
2015146858.tif 000005
【図３】
2015146858.tif 000006
【図４】
2015146858.tif 000007
【図５】
2015146858.tif 000008
【図６】
2015146858.tif 000009
【図７】
2015146858.tif 000010
【図８】
2015146858.tif 000011
【図９】
2015146858.tif 000012
【図１０】
2015146858.tif 000013